(57)【要約】 【課題】  手洗い時に使用者が残水による手洗いで不快を感じることを抑制し、温水によって手洗いができる温水洗浄装置を提供する。【解決手段】  温水洗浄装置１は、便座２ｂを有する便器本体２と、給水された水を加熱して温水を生成する給湯装置３と、温水で人体局部の洗浄を行う局部洗浄装置４と、温水を蛇口５ａから吐出する手洗い装置５と、手洗い装置５から吐出された温水を排水する排水管６と、給湯装置３の下流側に設けられ、温水の供給を局部洗浄装置４と手洗い装置５側及び排水管６側へつなぐ第１配管８ｂとを切り替えを行う第１切替弁７ａと、第１切替弁７ａの下流側に設けられた第２切替弁７ｂとで構成され、第２切替弁７ｂが第１配管８ｂから手洗い装置５側の第２配管８ｃへとつなぐ手洗い流路と、第１配管８ｂから排水管６側の第３配管８ｄへとつなぐ排水流路とを切り替える構造となっている。【選択図】  図１
2011231499.tif 000002
【特許請求の範囲】
【請求項１】
便座を有する便器本体と、
給水された水を加熱して温水を生成する給湯装置と、
前記温水で人体局部の洗浄を行う局部洗浄装置と、
前記温水を蛇口から吐出する手洗い装置と、
を備える温水洗浄装置において、
前記手洗い装置から吐出された温水を排水する排水管と、
前記給湯装置の下流側に設けられ、温水の供給を前記局部洗浄装置又は前記手洗い装置への切り替えが行える第１切替弁と、
前記第１切替弁の下流側に設けられ、前記手洗い装置と前記排水管との間に配設された第２切替弁と、
前記第１切替弁と前記第２切替弁とを繋ぐ第１配管と、
前記第２切替弁と前記手洗い装置とを繋ぐ第２配管と、
前記第２切替弁と前記排水管とを繋ぐ第３配管とを備え、
前記第２切替弁を介して前記第１配管と前記第２配管とを繋ぐ手洗い流路と、前記第１配管と前記第３配管とを繋ぐ排水流路との切り替えが行えることを特徴とする温水洗浄装置。
【請求項２】
前記便座への人体の着座の有無を検知する検知手段を設け、前記検知手段の信号によって着座時には、前記第１切替弁を前記局部洗浄装置側の流路へ切り替え、非着座時には、前記第１切替弁及び前記第２切替弁を前記手洗い装置側又は前記排水管側の流路へ切り替えが行えることを特徴とする請求項１に記載の前記温水洗浄装置。
【請求項３】
前記第２切替弁によって前記第１配管と前記第３配管とを繋ぎ、給水された水の水圧で配管内の残水を前記排水管へ排水することを特徴とする請求項１又は請求項２に記載の前記温水洗浄装置。
【発明の詳細な説明】
【技術分野】
【０００１】
本発明は、人体の局部洗浄に使用する温水を流路変更によって手洗い装置へと送水して手洗いを可能とする温水洗浄装置に関するものである。
【背景技術】
【０００２】
従来の温水洗浄装置について、特許文献１に示される構成が開示されている。
【０００３】
特許文献１には、温水タンク内の水をヒータによって加熱し、生成された温水を給水ポンプによって温水を人体の局部へ吐出して洗浄を行うノズル及び便器内洗浄用水を貯水する浄水タンクの上面に設けた手洗い装置へ供給させる構成となっており、ノズル及び手洗い装置への温水の供給は、切替弁によって流路を切り替えて行われる。これにより、温水洗浄装置は、人体の局部を洗浄するノズルから温水を吐出させるだけでなく、切替弁の切り替えを行うことによって手洗い装置へも温水を送水することで、使用者が温水で手を洗うことが可能となる。
【先行技術文献】
【特許文献】
【０００４】
【特許文献１】特開平１０−８８６４２号公報
【発明の概要】
【発明が解決しようとする課題】
【０００５】
上記した温水洗浄装置は、手洗い後に温水タンクと手洗い装置との間の配管内に残った残水を排水する機構を有していないので、使用者が手洗いを行う際、特に冬場等においては、前の使用者の手洗い後の水温が低下した残水が手洗いに使われるおそれがある。さらに、手洗い装置が洗浄タンクの上面ではなく、洗浄タンク以外の離れた場所にある場合には、配管に溜まる残水の量も多くなってしまうため、使用者が水温の低い残水のみで手洗いを行う可能性がある。
【０００６】
従って、本発明は、手洗いの際に手洗い装置の蛇口へ通じる配管の残水を排水することで使用者への不快感を抑制し、清潔感のある温水によって手洗いが行える温水洗浄装置を提供する。
【課題を解決するための手段】
【０００７】
上記の課題を解決するために講じた手段は、便座を有する便器本体と、給水された水を加熱して温水を生成する給湯装置と、温水で人体局部の洗浄を行う局部洗浄装置と、温水を蛇口から吐出する手洗い装置とを備える温水洗浄装置において、手洗い装置から吐出された温水を排水する排水管と、給湯装置の下流側に設けられ、温水の供給を局部洗浄装置又は手洗い装置への切り替えが行える第１切替弁と、第１切替弁の下流側に設けられ手洗い装置と排水管との間に配設された第２切替弁と、第１切替弁と前記第２切替弁とをつなぐ第１配管と、第２切替弁と手洗い装置とをつなぐ第２配管と、第２切替弁と排水管とをつなぐ第３配管とを備え、第２切替弁を介して第１配管と第２配管とをつなぐ手洗い流路と、第１配管と第３配管とをつなぐ排水流路との切り替えが行える温水洗浄装置である。
【０００８】
さらに、便器本体に人体の着座の有無を検知する検知手段を設け、検知手段の信号によって、着座時には、第１切替弁を局部洗浄装置側の流路へ切り替え、非着座時には、第１切替弁及び第２切替弁を手洗い装置側又は排水管側の流路へ切り替えが行える構造としてもよい。
【０００９】
また、第２切替弁によって第１配管と第３配管とを繋ぎ、給水された水の水圧で第１配管内の残水を排水管へ排水する構造である。
【発明の効果】
【００１０】
本発明によれば、この温水洗浄装置は、第２切替弁によって第１切替弁から連通している配管内の残水を排水管へと排水することで、第２切替弁を切り替え後の手洗い装置から吐出される残水を抑制し、使用者は温水で手洗いが可能となり、特に冬場等においては冷えた残水での手洗いによる不快感を抑制できる。さらに、従来技術は、配管内の残水の排水が手洗い装置や下流の手洗い皿に排水していることから清潔感を損ねるおそれがあるが、この温水洗浄装置は、残水を排水管から排水するため使用者が排水動作を見ることがないため清潔感を持たせることができる。また、この温水洗浄装置は、手洗い装置から余分な排水を少なくすることで水跳ねの発生を抑制することも可能である。
【００１１】
さらに、検知手段の信号で第１切替弁または第２切替弁を切り替えることで残水の排水動作を円滑にし、温水を排水する量を削減でき、使用者の手洗い動作への移行も不快感を抑制できる。
【００１２】
また、この温水洗浄装置は、給水された水の水圧によって第１配管の残水を排水管へ排水することができるため、ポンプ等の圧源を設ける必要がなく、装置の簡素化が可能である。
【図面の簡単な説明】
【００１３】
【図１】本発明の実施例における温水洗浄装置の構成図。
【図２】本発明の実施例における温水洗浄装置の給水回路の説明図。
【図３】本発明の実施例における手洗い動作のフローチャート。
【発明を実施するための形態】
【００１４】
本発明の実施形態について以下に説明する。
【実施例】
【００１５】
本発明の実施例に係わる温水洗浄装置１の全体の構成について、図１を用いて説明する。図１は温水洗浄装置１の構成図を示している。
【００１６】
図１より、本実施例に係わる温水洗浄装置１は、便器本体２と、便器本体２の内部に設けられた給湯装置３及び局部洗浄装置４と、便器本体２から離れた場所にある手洗い装置５と、手洗い後の温水を排水する排水管６と、流路を切り替える切替弁７と、それぞれを結ぶ配管８とで構成されている。
【００１７】
便器本体２は、便器２ａと使用者が着座する便座２ｂと便器洗浄用の洗浄タンク２ｃを備えている。また、給湯装置３は、給水管８ａから給水された水を加熱し、温水を生成する。この給湯装置３の下流には第１切替弁７ａが設けられており、この第１切替弁７ａは局部を洗浄する局部洗浄装置４への流路と手洗い装置５（排水管６）への流路の切り替えを行うことができる。また、この第１切替弁７ａは、局部洗浄装置４との間に第４配管８ｅ及び第５配管８ｆが設けられ、同様に手洗い装置５との間には、第１配管８ｂが設けられている。さらに、第１配管８ｂには、手洗い装置５と排水管６への流路を切り替える第２切替弁７ｂが設けられている。第２切替弁７ｂから手洗い装置５及び排水管６への流路は、それぞれ第２配管８ｃ及び第３配管８ｄによって繋がれている。また、便器本体２の側部２ｄには、局部洗浄装置４を第１切替弁７ａによっておしり用ノズル４ａとビデ用ノズル４ｂに切り替えるための局部洗浄スイッチ１１ａを有する操作部１１が設けられている。この温水洗浄装置１の給湯装置３及び切替弁等の制御は、便器本体２内部に設けられた制御装置１０と各場所に設置された検知手段９によって行われる。この検知手段９は、着座センサ９ａと検知センサ９ｂと温度センサ９ｃが用いられ、使用者の着座の有無を検知する着座センサ９ａは便座２ｂに設けられ、使用者が蛇口５ａ付近に手を近づけると使用者の手を検知する検知センサ９ｂが手洗い装置５に設けられている。さらに、には、温度センサ９ｃが第２切替弁７ｂに近接した第１配管８ｂ上に設けられている。
【００１８】
次に本発明の実施例に係わる温水洗浄装置１の給水回路について、図２を用いて説明する。図２は温水洗浄装置１の給水回路の説明図を示している。
【００１９】
この温水洗浄装置１の制御装置１０は、検知手段９（着座センサ９ａ、検知センサ９ｂ、温度センサ９ｃ）又は局部洗浄スイッチ１１ａからの信号を受ける。この信号をもとに制御装置１０は、切替弁７（第１切替弁７ａ、第２切替弁７ｂ、給水弁７ｃ）とヒータ３ａを作動させる構造となっている。
【００２０】
この温水洗浄装置１の給水管８ａから給水された水は、給水弁７ｃを介して給湯装置３又は洗浄タンク２ｃへと送られる。給水弁７ｃは、制御装置１０からの信号で給湯装置３への流路又は洗浄タンク２ｃへの流路の切り替えを行うことができる。さらに、温水洗浄装置１は、給湯装置３内に設けられたヒータ３ａによって給水された水を加熱して温水を生成する。この給湯装置３で生成した温水は、制御装置１０によって切り替えられた切替弁７（第１切替弁７ａ、２切替弁７ｂ）と配管８（第１配管８ｂ、第２配管８ｃ、第３配管８ｄ、第４配管８ｅ、第５配管８ｆ）を介して、局部洗浄装置４（おしり用ノズル４ａ、デ用ノズル４ｂ）又は排水管６、若しくは手洗い装置５へと送水される。そして、温水洗浄装置１は、配管８内に残った温度の低下した残水を温水の送水と同時に排水する。
【００２１】
次に局部洗浄時の動作について説明する。
【００２２】
使用者が、操作部１１に設けられた局部洗浄スイッチ１１ａを操作することで局部洗浄装置４のおしり用ノズル４ａまたはビデ用ノズル４ｂを選択することができる。この局部洗浄スイッチからの信号を受け制御装置１０は、給水弁７ｃを給湯装置３側に開動作して給水管８ａからの給水を開始し、給湯装置３へ給水させる。給湯装置３によって生成された温水は、制御装置１０の信号を受けて第１切替弁７ａがおしり用ノズル４ａへと繋がる第４配管８ｅ、又はビデ用ノズル４ｂへと繋がる第５配管８ｆへ切り替えられて送水され、使用者の局部洗浄を行う。
【００２３】
次に残水の排水を含む手洗い時の動作ついて図３を用いて説明する。図３は温水洗浄装置１における手洗い動作のフローチャートを示している。本フローチャートは、図３に示されているものに限定されるのではなく、あくまでも一例である。
【００２４】
本実施例の温水洗浄装置１の制御装置１０は、局部洗浄後に着座センサ９ａの信号を読み込む（ステップＳ１０１）。この信号によって使用者が便座２ｂに着座しているか否かを判断する（ステップＳ１０２）。使用者が便座２ｂから離れるまではステップＳ１０３以降は実行されない。使用者が便座２ｂから離れたと判断した場合に、制御装置１０により給水弁７ｃは給湯装置３側に開動作して、水が給水管８ａから給湯装置３へ送水される（ステップＳ１０３）。この給水された水は、給湯装置３のヒータ３ａが作動することによって手洗いに適した温度に加熱される（ステップＳ１０４）。この給湯装置３で生成された温水は、第１切替弁７ａが制御装置１０により第１配管８ｂ側に開動作することで第１配管８ｂに送られる（ステップＳ１０５）。ステップＳ１０５とほぼ同時に第１配管８ｂに残っている残水を排水するため、温水は一時的に第２切替弁７ｂを第３配管８ｄ側に開動作して、供給される水圧により排水管６へと送られる（ステップＳ１０６）。第１配管８ｂには第２切替弁７ｂに温度センサ９ｃが近設されており、制御装置１０が第１配管８ｂに温水が送られている間に温度センサ９ｃの信号を読み込む（ステップＳ１０７）。第２切替弁７ｂが第１配管８ｂ内の温度が温度センサ９ｃによって手洗いに適した温度（例えば、４０℃）を検知する排水管６側へ開動作する。そして、温度センサ９ｃの信号によって制御装置１０が第１配管８ｂ内の適した温度であるか否かを判断する（ステップＳ１０８）。そして、制御装置１０により第１配管８ｂ内の適した温度が手洗いに適している判断されると、第２切替弁７ｂは、排水管６側へ閉動作する（ステップＳ１０９）。この後、制御装置１０は、手洗い装置５に取り付けられた使用者の手を検知する検知センサ９ｂの信号を読み込む（ステップＳ１１０）。この信号から、制御装置１０は使用者の手が手洗い装置５に近づいているか否かを判断する（ステップＳ１１１）。そして、使用者の手が手洗い装置５に近づいていると判断されたとき、制御装置１０により第２切替弁７ｂが手洗い装置５側である第２配管８ｃへ開動作し、温水が手洗い装置５へ送水されて蛇口５ａから手洗い皿５ｂへと吐出される（ステップＳ１１２）。使用者が手洗いをしている間に、制御装置１０は、検知センサ９ｂの信号を読み込む（ステップＳ１１３）。この信号から、使用者の手が手洗い装置５から離れているか否かを判断する（ステップＳ１１４）。そして、使用者の手が手洗い装置５から離れていると判断されたとき、給水弁７ｃ、第１切替弁７ａ、第２切替弁７ｂは閉動作し、給湯装置３のヒータ３ａは停止することで手洗い動作は終了する。（ステップＳ１１５）。これにより、温水洗浄装置１は、第２配管８ｃ内の残水のみであるため、手洗い装置５の蛇口５ａから吐出される残水の吐出量が抑制される。
【００２５】
以上、実施例の構成について説明したが、本発明はこれに限定されるものではなく、以下に示す態様に変更してもよい。
【００２６】
・第１配管８ｂの第２切替弁７ｂに近設されている温度センサ９ｃは設けていなくても良い。
【００２７】
温度センサ９ｃが設けられていない場合であっても、第２切替弁７ｂを排水管６側へ適した温度の温水が送水されるまで所定時間を設定して開動作を行うことで、第１配管８ｂ内を適した温度の温水で満たすことができるため、使用者は温水での手洗いが可能となる。
【００２８】
・排水動作として、温度センサ９ｃが第１配管８ｂ内の適した温度に温まったことを検出して、第２切替弁７ｂが排水管６側へ閉動作した後、使用者が手洗い装置５に取り付けた検知センサ９ｂに検知される前に、第２配管８ｃに残っている残水を蛇口５ａから排水しても良い。
【００２９】
・使用者を検知する検知センサ９ｂは設けていなくとも良い。
【００３０】
この温水洗浄装置１は、温度センサ９ｃによって配管内の水が適した温度に温まったことを検出して、第２切替弁７ｂが排水管６側へ閉動作して、第２配管８ｃに残っている残水を蛇口５ａから排水した後、温水を所定時間吐出し続けることで、手洗いを行うことが可能となる。
【００３１】
・第２切替弁７ｂは、手洗い装置５と排水管６を繋ぐ流路に切り替える構造としてもよい。
【００３２】
第２切替弁７ｂが、手洗い装置５の第２配管８ｃと排水管６の第３配管８ｄとが連通するように切り替える構造であれば、この温水洗浄装置１は、温度センサ９ｃによって第１配管８ｂ内の水が適した温度に温まったことを検出して、第２切替弁７ｂが排水管６側へ閉動作した後、第２配管８ｃ及び第３配管８ｄとを繋ぐような開動作を行うことで第２配管８ｃの残水を排水することが可能となる。これにより、使用者が手を洗う際は、蛇口５ａから残水が吐出されることがないため、清潔感のある温水で手洗いができる。
【００３３】
・この温水洗浄装置１には、温度センサ９ｃが配管８内に溜まっている温水が適温であるかを知らせるための温水ランプなどを設けてもよい。
【００３４】
温水ランプを設けることで、使用者は、温水洗浄装置１内の配管８の残水が排水されたことを確認してから手洗いを行うことが可能になる。
【００３５】
・洗浄タンク２ｃの水を利用して行われる便器２ａの洗浄がステップＳ１０２とステップＳ１０３の間で行われた際に、洗浄タンク２ｃへの給水弁７ｃを介した水の供給は、便器２ａの洗浄時（ステップＳ１０２とステップＳ１０３の間）又は手洗い動作の終了時であっても良い。しかし、便器２ａの洗浄及び洗浄タンク２ｃへの水の供給はこれらに限定されるものではない。ただし、次回の洗浄までには、洗浄タンク２ｃへ水を供給する必要がある。
【００３６】
・排水管６に排水された水（残水又は温水）は、図１に示すように便器２ａ内へ排水することに限定される必要はない。
【符号の説明】
【００３７】
１  温水洗浄装置
２  便器本体
２ａ  便器
２ｂ  便座
３  給湯装置
４  局部洗浄装置
５  手洗い装置
５ａ  蛇口
６  排水管
７  切替弁（７ａ  第１切替弁、７ｂ  第２切替弁、７ｃ  給水弁）
８  配管（８ａ  給水管、８ｂ  第１配管、８ｃ  第２配管、８ｄ  第３配管、８ｅ  第４配管、８ｆ  第５配管）
９  検知手段
【図１】
2011231499.tif 000003
【図２】
2011231499.tif 000004
【図３】
2011231499.tif 000005